(57)【要約】【課題】簡易な手段により、室温の検出精度を高め、適切な暖房運転を行なうことが可能な温風暖房装置を提供する。【解決手段】温風暖房装置Ａは、室温検出用の温度センサ４の設置箇所がファン２による負圧領域となるように、温度センサ４の設置箇所またはその近傍領域を、空気流路５の吸引負圧発生領域５ａと連通させる負圧連通部Ｂを備えている。【選択図】  図４
2018054157.tif 000002
【特許請求の範囲】
【請求項１】
空気の吸込み口から吹出し口に到る空気流路を内部に形成している筐体と、
この筐体内に配され、かつ室内空気を前記吸込み口から前記空気流路に吸い込むとともに、前記筐体内に別途設けられた加熱部によって加熱された空気を前記吹出し口から吹き出す温風吹き出し動作を可能とするファンと、
前記筐体内のうち、前記加熱部および前記空気流路とは離間し、かつ前記筐体の外部とは通気孔を介して連通する箇所に配置された室温検出用の温度センサと、
を備えている、温風暖房装置であって、
前記温度センサの設置箇所が前記ファンによる負圧領域となるように、前記温度センサの設置箇所またはその近傍領域を前記空気流路の吸引負圧発生領域と連通させる負圧連通部を、さらに備えていることを特徴とする、温風暖房装置。
【請求項２】
請求項１に記載の温風暖房装置であって、
前記室温検出用の温度センサを利用して検出される温度が所定の目標温度以上であることにより、暖房運転を休止している期間中は、前記ファンが暖房運転時よりも低い回転数で間欠的または連続的に駆動するように構成されている、温風暖房装置。
【請求項３】
請求項１または２に記載の温風暖房装置であって、
前記室温検出用の温度センサは、室内空気が前記通気孔から前記筐体内に流入してから前記負圧連通部に到るまでの空気流れ経路の途中、または前記空気流れ経路に面する箇所に位置するように設けられている、温風暖房装置。
【請求項４】
請求項１ないし３のいずれかに記載の温風暖房装置であって、
前記筐体内には、前記筐体の横幅方向において、前記空気流路とこれに隣接する他の領域との間を仕切る仕切り壁部が設けられ、
前記温度センサは、前記横幅方向において、前記仕切り壁部を介して前記空気流路とは反対側の位置に設けられ、
前記負圧連通部は、前記仕切り壁部に貫通して設けられた開口部と、この開口部に一端が接続され、かつ他端が前記温度センサの設置箇所またはその近傍領域に位置するダクトまたはホースと、を備えた構成とされている、温風暖房装置。
【請求項５】
請求項４に記載の温風暖房装置であって、
前記筐体は、前面部が開口した筐体本体と、この筐体本体の前面開口部を塞ぐ前面パネルとを組み合わせて構成されており、
前記温度センサの設置箇所またはその近傍領域から前記仕切り壁部まで延び、かつ前記前面パネルに対向するように前記筐体本体に設けられた起立壁部と、
この起立壁部に対向して開口し、かつ前記起立壁部と同方向に延びるように前記前面パネルの内面側に設けられた凹状部と、
をさらに備えており、
前記ダクトは、前記凹状部の開口部分が前記起立壁部によって塞がれるように前記前面パネルと前記起立壁部とが組み合わされて構成されている、温風暖房装置。
【発明の詳細な説明】
【技術分野】
【０００１】
本発明は、ファンコンベクタなどの温風暖房装置に関する。
【背景技術】
【０００２】
本出願人は、ファンコンベクタの一例として、特許文献１に記載のものを先に提案している。
同文献に記載のファンコンベクタは、空気の吸込み口から吹出し口に到る空気流路を内部に形成している筐体、この筐体内に配されたファン、空気加熱用の熱交換器、および室温検出用の温度センサを備えている。ファンが駆動されることにより、室内空気が吸込み口から空気流路内に吸い込まれて熱交換器により加熱され、かつこれが温風として吹出し口から吹き出される。このようなファンコンベクタの運転時には、室温検出用の温度センサを利用して検出される温度が、所定の目標温度となるように制御される。
【０００３】
しかしながら、前記従来技術においては、次に述べるように、未だ改善すべき余地があった。
【０００４】
すなわち、ファンコンベクタの運転を適切に行なうには、暖房対象の部屋の室温が、温度センサを利用して正確に検出される必要がある。これに対し、特許文献１においては、温度センサが熱交換器の温水配管などから熱を受けることを防止したり、温度センサの設置箇所の上方に熱を逃がすための開口部を設けるなどの対策は採られているものの、筐体の外部の室内空気を温度センサに積極的に作用させるための手段は講じられていない。
具体的には、温度センサは、筐体の前面パネルに設けられた通気孔の正面に位置するように筐体内に配置されている。ところが、このような構成のみでは、筐体外部の室内空気が通気孔を通過して温度センサの設置箇所に積極的に流れ込む作用は得られない。したがって、温度センサを利用して検出される温度が実際の室温と正確に一致せず、暖房運転の最適化が困難となる場合がある。
たとえば、ファンコンベクタが部屋の隅に設置されている場合や、温風の吹出し口の前方に障害物がある場合には、筐体内の温度センサの設置箇所に温風の熱が籠り易くなる。この場合、部屋全体の室温は低いにも拘わらず、温度センサによる検出温度は高めの温度となる。これでは温風送風が不当に停止されてしまう。また、籠もった熱が温度センサの設置箇所に停滞し続けるために、温風送風開始時期が遅れる事態も生じ得る。とくに、熱交換器に温水を供給するための熱源機が他の温水暖房装置と共用され、熱交換器への温水供給のオン・オフ切り替えに熱動弁が用いられている場合には、熱動弁の閉動作に数分程度かかるため、その期間中は熱交換器への温水供給は継続する。このため、熱交換器からの放熱により、温度センサの設置箇所には熱が一層籠り易くなり、前記したような不具合はより顕著となる。
【先行技術文献】
【特許文献】
【０００５】
【特許文献１】特開２０１６−９５０６９号公報
【発明の概要】
【発明が解決しようとする課題】
【０００６】
本発明は、前記したような事情のもとで考え出されたものであり、簡易な手段により、室温の検出精度を高め、適切な暖房運転を行なうことが可能なファンコンベクタなどの温風暖房装置を提供することを、その課題としている。
【課題を解決するための手段】
【０００７】
上記の課題を解決するため、本発明では、次の技術的手段を講じている。
【０００８】
本発明により提供される温風暖房装置は、空気の吸込み口から吹出し口に到る空気流路を内部に形成している筐体と、この筐体内に配され、かつ室内空気を前記吸込み口から前記空気流路に吸い込むとともに、前記筐体内に別途設けられた加熱部によって加熱された空気を前記吹出し口から吹き出す温風吹き出し動作を可能とするファンと、前記筐体内のうち、前記加熱部および前記空気流路とは離間し、かつ前記筐体の外部とは通気孔を介して連通する箇所に配置された室温検出用の温度センサと、を備えている、温風暖房装置であって、前記温度センサの設置箇所が前記ファンによる負圧領域となるように、前記温度センサの設置箇所またはその近傍領域を前記空気流路の吸引負圧発生領域と連通させる負圧連通部を、さらに備えていることを特徴としている。
【０００９】
このような構成によれば、次のような効果が得られる。
すなわち、ファンの駆動時においては、温度センサの設置箇所の空気が空気流路の吸引負圧発生領域に吸気されることとなり、温度センサの設置箇所に熱が籠らないようにすることができる。また、室内空気を通気孔から筐体内の温度センサの設置箇所に積極的に流入させることもできる。その結果、温度センサを利用して検出される温度が、実際の室温よりも高くなるようなことを抑制し、室温の検出精度を高くすることができる。したがって、温風暖房装置の運転の最適化、またはこれに近い適切な運転状態を実現することができる。
【００１０】
本発明において、好ましくは、前記室温検出用の温度センサを利用して検出される温度が所定の目標温度以上であることにより、暖房運転を休止している期間中は、前記ファンが暖房運転時よりも低い回転数で間欠的または連続的に駆動するように構成されている。
【００１１】
このような構成によれば、暖房運転の休止期間中（温風吹き出し動作の停止期間中）であっても、温度センサの設置箇所を負圧とし、温度センサの設置箇所への熱の籠り防止、および温度センサの設置箇所への室内空気の流入促進を図ることができる。したがって、室温の検出誤差に起因して、暖房運転の再スタート時期が遅くなるといった不具合を生じないようにすることが可能である。また、ファンの回転数は、暖房運転時よりも低い回転数とされるため、省エネを図ることができる他、次のように、ユーザに違和感を与えないようにすることもできる。すなわち、前記構成とは異なり、暖房運転の休止中であるにも拘わらず、ファンを高い回転数で駆動させたのでは、吹出し口からのエア送風量が多く、その際の送風音なども大きくなるため、ユーザは未だに暖房運転が行なわれていると勘違いする可能性が高い。これに対し、前記構成によれば、そのようなことを適切に回避することが可能である。
【００１２】
本発明において、好ましくは、前記室温検出用の温度センサは、室内空気が前記通気孔から前記筐体内に流入してから前記負圧連通部に到るまでの空気流れ経路の途中、または前記空気流れ経路に面する箇所に位置するように設けられている。
【００１３】
このような構成によれば、室温検出の精度を高める上で一層好ましいものとなる。
【００１４】
本発明において、好ましくは、前記筐体内には、前記筐体の横幅方向において、前記空気流路とこれに隣接する他の領域との間を仕切る仕切り壁部が設けられ、前記温度センサは、前記横幅方向において、前記仕切り壁部を介して前記空気流路とは反対側の位置に設けられ、前記負圧連通部は、前記仕切り壁部に貫通して設けられた開口部と、この開口部に一端が接続され、かつ他端が前記温度センサの設置箇所またはその近傍領域に位置するダクトまたはホースと、を備えた構成とされている。
【００１５】
このような構成によれば、簡易な構成により、温度センサの設置箇所を負圧領域とし、製造コストの上昇などを抑制することができる。
【００１６】
本発明において、好ましくは、前記筐体は、前面部が開口した筐体本体と、この筐体本体の前面開口部を塞ぐ前面パネルとを組み合わせて構成されており、前記温度センサの設置箇所またはその近傍領域から前記仕切り壁部まで延び、かつ前記前面パネルに対向するように前記筐体本体に設けられた起立壁部と、この起立壁部に対向して開口し、かつ前記起立壁部と同方向に延びるように前記前面パネルの内面側に設けられた凹状部と、をさらに備えており、前記ダクトは、前記凹状部の開口部分が前記起立壁部によって塞がれるように前記前面パネルと前記起立壁部とが組み合わされて構成されている。
【００１７】
このような構成によれば、温度センサの設置箇所を負圧領域とするためのダクトを、前面パネルを利用して合理的に構成することができ、製造コストの上昇を抑制する上で一層好ましい。
【００１８】
本発明のその他の特徴および利点は、添付図面を参照して以下に行なう発明の実施の形態の説明から、より明らかになるであろう。
【図面の簡単な説明】
【００１９】
【図１】本発明に係る温風暖房装置の一例であるファンコンベクタの斜視図である。
【図２】図１のII−II概略断面図である。
【図３】図１に示すファンコンベクタの前面パネルを取り外した状態の要部斜視図である。
【図４】（ａ）は、図３に示した構造において前面パネルを組み付けた状態での要部正面断面図であり、（ｂ）は、（ａ）のIVb−IVb断面図であり、（ｃ）は、（ａ）のIVc−IVc断面図である。
【図５】図１に示すファンコンベクタにおいて実行される動作制御の一例を示すフローチャートである。
【図６】本発明の他の例を示し、（ａ）は、前面パネルを取り外した状態での要部斜視図であり、（ｂ）は、前面パネルを取り付けた状態での要部断面図である。
【発明を実施するための形態】
【００２０】
以下、本発明の好ましい実施の形態について、図面を参照して具体的に説明する。
【００２１】
図１および図２に示すファンコンベクタＡは、本発明に係る温風暖房装置の一例に相当し、筐体１、この筐体１内に配されたファン２、および熱交換器３を備えている。さらには、図３および図４に示す室温検出用の温度センサ４、および図４に示す負圧連通部Ｂも備えている。
【００２２】
ファンコンベクタＡの全体の基本的な構成は、特許文献１と同様であり、この点については簡単に説明する。すなわち、筐体１は、前面開口状の筐体本体部１ａと、この筐体本体部１ａの前面開口部を閉塞する前面パネル１ｂとを組み合わせて構成されており、前面パネル１ｂは筐体本体部１ａに着脱可能である。筐体１の前面部には、室内空気の吸込み口５０、複数のルーバ５２が設けられた温風の吹出し口５１、および室温検出用の通気孔１０が設けられており、図２に示すように、筐体１内には、吸込み口５０から吹出し口５１に到る空気流路５が形成されている。
【００２３】
熱交換器３およびファン２は、空気流路５の途中位置に配されている。熱交換器３は、本発明でいう「加熱部」の一例に相当し、フィンチューブタイプのものが用いられている
。図示説明は省略するが、熱交換器３には、熱源機を利用して加熱された温水が供給され、この熱交換器３の発熱のオン・オフは、前記熱源機の運転のオン・オフ、あるいは熱交換器３に接続された温水供給用配管に取り付けられた熱動弁などの弁の開閉により行なわれる。ファン２は、図３に示すモータＭにより駆動回転され、このファン２の駆動回転により、吸込み口５０から空気流路５内に吸い込まれた空気は、熱交換器３を通過して加熱され、かつこの空気が吹出し口５１から温風として吹き出される。
【００２４】
図３および図４において、室温検出用の温度センサ４は、たとえばサーミスタであり、その配線コード４０は、ファンコンベクタＡの各部の動作制御を実行するコントローラ（不図示）に接続されている。温度センサ４は、熱交換器３および空気流路５から離間した位置であって、筐体１内のうち、通気孔１０の奥部に設けられている。より具体的には、筐体本体部１ａのうち、通気孔１０に対向する箇所には、たとえば上下高さ方向に起立したプレート状のセンサブラケット部６が設けられており、その前面側に温度センサ４が取り付けられている。センサブラケット部６は、温度センサ４を固定するための固定具６０、および複数の貫通孔６１を有している。また、センサブラケット部６は、たとえばモータＭが載設された上側支持板部１２と、その下方に位置する下側支持板部１３との双方または一方に繋がって設けられている。温度センサ４の設置箇所は、その前方に通気孔１０が設けられている点、および上側支持板部１２に切欠き状または非切欠き状の開口部１２ａが設けられている点を除き、ある程度の気密性をもつ空間領域とされている。なお、上側支持板部１２に設けられた開口部１２ａは、温度センサ４の設置箇所およびその周辺の熱（温度が高い空気）を上側支持板部１２の上方に逃がすことが可能な部位であり、ファン２の駆動停止時において、温度センサ４の設置箇所に熱が籠もることを抑制する役割を果たす。
【００２５】
図４に示す負圧連通部Ｂは、ファン２の駆動時に、温度センサ４の設置箇所が負圧領域となるように、温度センサ４の設置箇所またはその近傍領域を空気流路５の吸引負圧発生領域５ａと連通させるための部分である。吸引負圧発生領域５ａは、空気流路５のうち、ファン２よりも空気流れ方向上流側の領域である。
【００２６】
負圧連通部Ｂは、仕切り壁部１４に設けられた開口部１４ａと、ダクト７とを組み合わせて構成されている。より具体的には、ファン２の設置領域（空気流路５）とモータＭの設置領域との間には、これらの間を仕切る仕切り壁部１４が設けられているが、この仕切り壁部１４には、筐体１の左右横幅方向に貫通した開口部１４ａが設けられている。ダクト７は、一端が開口部１４ａに接続され、かつ他端が温度センサ４の上部または上方に位置して開口するように設けられたものである。したがって、ファン２が駆動回転した際には、ファン２の吸引負圧作用が、温度センサ４の設置箇所およびその周辺領域にも及ぶこととなる。
【００２７】
ダクト７は、上側支持板部１２の上面上に起立して設けられた起立壁部７０と、前面パネル１ｂとの組み合わせにより構成されている。起立壁部７０は、温度センサ４の取り付け箇所の上部または上方の位置から仕切り壁部１４まで延び、かつ前面パネル１ｂに対向するように設けられた部分である。これに対し、前面パネル１ｂの内面側には、上下２つの突起部７１ａ，７１ｂが突設され、これらの突起部７１ａ，７１ｂの相互間領域は、起立壁部７０に対向して開口し、かつ起立壁部７０と同方向に延びる凹状部７２とされている。前面パネル１ｂが筐体本体部１ａに取り付けられた状態においては、凹状部７２の開口部分が、起立壁部７０によって塞がれ、この凹状部７２を内部空洞部とするダクト７が構成されている。
【００２８】
次に、前記したファンコンベクタＡの作用について説明する。
【００２９】
まず、ファン２を駆動させた際には、温度センサ４の設置箇所およびその付近の空気が、負圧連通部Ｂを介して空気流路５の吸引負圧発生領域５ａに吸気される。このため、温度センサ４の設置箇所およびその周辺領域に、熱が籠らないようにすることができる。また、室内空気が通気孔１０を通過して温度センサ４の設置箇所に積極的に流入する。その結果、温度センサ４を利用した検出温度が、実際の室温よりも高くなるようなことを抑制し、室温の検出精度を高くすることができる。したがって、ファンコンベクタＡの運転制御を適切に行なうことが可能である。本実施形態では、図４（ｂ）に示すように、温度センサ４は、室内空気が通気孔１０を通過して筐体１内に流入して負圧連通部Ｂに到る空気流れ経路に面するように設けられている。このため、室内空気が温度センサ４に直接触れる度合いが高くなり、室温の検出をより高精度に、かつ反応性よく行なうことが可能である。
【００３０】
ファンコンベクタＡは、図５のフローチャートに示すような動作制御を実行するように構成されており、以下この点について説明する。
【００３１】
まず、ファンコンベクタＡが運転オン（電源オン）状態に設定されると、室温検出用の温度センサ４を利用した室温の検出がなされ、この検出温度が予め設定された目標温度未満であれば、暖房運転が開始される（Ｓ１：ＹＥＳ，Ｓ２：ＹＥＳ，Ｓ３）。この暖房運転は、熱交換器３がオン状態（熱交換器３への温水供給状態）、ファン２が駆動状態であり、ファン２の回転速度は、暖房運転用に設定された通常の回転速度である。
【００３２】
前記とは異なり、運転オンの設定時において、温度センサ４を利用した検出温度が元々目標温度以上である場合、あるいは前記した暖房運転が行なわれた結果、検出温度が目標温度以上に達した場合には、暖房運転は休止状態とされる（Ｓ２：ＮＯ，Ｓ４）。この暖房運転の休止状態は、熱交換器３がオフ、ファン２が駆動停止の状態である。この暖房運転の休止時において、検出温度が目標温度未満に低下した場合には、暖房運転の再開が行なわれる（Ｓ５：ＹＥＳ，Ｓ３）。
【００３３】
これに対し、所定の第１の時間Ｔ１（たとえば、９０秒）内に、検出温度が目標温度未満に低下しない場合には、ファン２が低速で駆動される（Ｓ５：ＮＯ，Ｓ６：ＹＥＳ，Ｓ７）。このファン２の駆動により、検出温度が目標温度未満に低下すると、暖房運転が再開されるが（Ｓ８：ＹＥＳ，Ｓ３）、これとは異なり、所定の第２の時間Ｔ２（たとえば、６０秒）内に、検出温度が目標温度未満に低下しない場合には、ファン２が停止される（Ｓ８：ＮＯ，Ｓ９：ＹＥＳ，Ｓ４）。このようなことから、暖房運転の休止中において、検出温度が目標温度未満に低下しない場合には、第２の時間Ｔ２のファン２の低速駆動期間と、第１の時間Ｔ１のファン２の停止期間とが繰り返されることとなり、この期間中に検出温度が目標温度未満になれば、暖房運転が再開される。
【００３４】
前記したように、暖房運転の休止中であるにも拘わらず、ファン２が回転されれば、この期間中においても、温度センサ４の設置箇所への熱の籠りなどを防止し、室温の検出を正確に行なうことが可能である。したがって、実際には、室温が目標温度未満まで低下しているにも拘わらず、熱の籠りに起因して、暖房運転の再開が遅れるといった不具合を防止することが可能である。暖房運転の休止中におけるファン２の回転速度は、低速とされているため、このファン２の回転が、暖房運転時の回転であるとユーザが勘違いするような虞を少なくすることが可能である。また、ファン２が低速かつ間欠的に駆動されれば、省エネ効果も高いものとすることができる。
なお、暖房運転停止中において、ファン２は、前記したような間欠的な駆動に代えて、連続的な駆動とすることも可能である。
【００３５】
図６は、本発明の他の実施形態を示している。同図において、前記実施形態と同一また
は類似の要素には、前記実施形態と同一の符号を付すこととし、重複説明は省略する。
【００３６】
図６に示す実施形態においては、センサブラケット部６に、温度センサ４に対向する開口部６６が設けられ、かつこの開口部６６と仕切り壁部１４の開口部１４ａとが、ホース７Ａを介して接続されている。本実施形態では、負圧連通部Ｂがホース７Ａを用いて構成されている。このような構成であっても、前記実施形態と同様な作用を得ることが可能である。なお、本実施形態では、温度センサ４は、室内空気が通気孔１０を通過してホース７Ａに到る空気流れ経路の途中に設けられているため、やはり温度センサ４に室内空気が直接触れ易く、室温の検出を高精度に、かつ反応性よく行なうことが可能である。
【００３７】
本発明は、上述した実施形態の内容に限定されない。本発明に係る温風暖房装置の各部の具体的な構成は、本発明の意図する範囲内において種々に設計変更自在である。
【００３８】
本発明でいう負圧連通部は、ダクトやホースとは異なる手段を用いて構成することも可能である。
本発明に係る温風暖房装置は、ファンコンベクタに限定されない。本発明でいう「加熱部」としては、熱交換器に代えて、たとえばバーナや電熱ヒータなどを用いることが可能である。したがって、ガス温風暖房装置、石油温風暖房装置、あるいは電熱ヒータ式温風暖房装置として構成することもできる。
【符号の説明】
【００３９】
Ａ  ファンコンベクタ（温度センサ）
Ｂ  負圧連通部
１  筐体
１４  仕切り壁部
１４ａ  開口部
２  ファン
３  熱交換器（加熱部）
４  温度センサ（室温検出用の）
５  空気流路
５ａ  吸引負圧発生領域（空気流路の）
５０  吸込み口
５１  吹出し口
７  ダクト
７Ａ  ホース
【図１】
2018054157.tif 000003
【図２】
2018054157.tif 000004
【図３】
2018054157.tif 000005
【図４】
2018054157.tif 000006
【図５】
2018054157.tif 000007
【図６】
2018054157.tif 000008